(57)【要約】【課題】この発明は手指の不自由な人であっても牌を積んで麻雀を楽しむことができるようにした麻雀卓を提供することにある。【解決手段】麻雀牌が配置される盤面２を有しこの盤面の麻雀牌が配置される位置に麻雀牌の配置形状に対応する開口部６が形成された卓本体１と、開口部と対応する位置に上下動可能に設けられ上面に麻雀牌が配置される可動載置板８と、可動載置板を上下方向に駆動する駆動機構１１とを備え、  駆動機構は、可動載置板を、この可動載置板の上面に開口部の内周面をガイドにして下段の麻雀牌を積む第１の高さ位置と、下段の麻雀牌の上に上段の麻雀牌を上記開口部の内周面をガイドにして積む第２の高さ位置と、可動載置板の上面を上記卓本体の盤面と同じ高さにする第３の高さ位置とに位置決めする構成である。【選択図】      図２
2005329221.tif 000002
【特許請求の範囲】
【請求項１】
所定の位置に麻雀牌が一列かつ上下２段に並設される麻雀卓であって、
上記麻雀牌が配置される盤面を有しこの盤面の上記麻雀牌が配置される位置に麻雀牌の配置形状に対応する開口部が形成された卓本体と、
上記開口部と対応する位置に上下動可能に設けられ上面に上記麻雀牌が配置される可動載置板と、
上記可動載置板を上下方向に駆動する駆動機構とを備え、
上記駆動機構は、上記可動載置板を、この可動載置板の上面に上記開口部の内周面をガイドにして下段の麻雀牌を積む第１の高さ位置と、下段の麻雀牌の上に上段の麻雀牌を上記開口部の内周面をガイドにして積む第２の高さ位置と、上記可動載置板の上面を上記卓本体の盤面と同じ高さにする第３の高さ位置とに位置決めする構成であることを特徴とする麻雀卓。
【請求項２】
上記駆動機構は、上記可動載置板を上下動可能に保持するガイド手段と、上記可動載置板の下面にカム面を当接させて回転可能に設けられたカム体と、上記可動載置板の下面を上記カム体のカム面に当接する方向に付勢する付勢部材と、上記カム体を回転操作して上記可動載置板を上記第１乃至第３の位置のいずれかに位置決めする操作部材とを備えていることを特徴とする請求項１記載の麻雀卓。
【請求項３】
上記可動載置板の長手方向両端部の下面にそれぞれカム面を当接させて設けられた一対のカム体を有し、上記操作部材は一対のカム体の間に回転可能に設けられていて、この操作部材と一対のカム体とにはそれぞれプーリが設けられ、これらのプーリには上記操作部材の回転を上記一対のカム体に伝達するベルトが張設されていることを特徴とする請求項２記載の麻雀卓。
【請求項４】
上記カム体は上記可動載置板の長手方向中途部の下面にカム面を当接させて設けられ、上記操作部材は上記カム体を回転可能に支持した支軸に設けられていて、
上記カム体には位置決めピンが係合したガイド溝が設けられ、上記位置決めピンは上記第２の位置と第３の位置とで上記ガイド溝の一端と他端とにそれぞれ当接して上記カム体の回転を制限する構成であることを特徴とする請求項２記載の麻雀卓。
【請求項５】
上記可動載置板が上記第１の高さ位置になったときに、上記カム体に形成された係合部に弾性的に係合する係合部材が設けられていることを特徴とする請求項４記載の麻雀卓。
【発明の詳細な説明】
【技術分野】
【０００１】
この発明は卓本体の盤面に麻雀牌を積み易くした麻雀卓に関する。
【背景技術】
【０００２】
麻雀はゲームとしての面白さだけでなく、とくに老人などは頭脳の老化現象を防ぐためにも有効であるとされている。麻雀を行なう場合、周知のように牌をマージャ卓の盤面に一列で、しかも上下２段に積まなければならない。牌を一列かつ上下２段に積む際、手指を使うため、その運動も老化防止や手指のリハビリに役立つことになる。
【発明の開示】
【発明が解決しようとする課題】
【０００３】
ところで、老人などが老化防止のために麻雀を行なう場合、手指が震えるなどして手指を確実に使えない人がおり、そのような人は牌を麻雀卓の盤面に一列かつ２段に積み上げることができないことがある。そのため、そのような人は麻雀ゲームに参加できないから、麻雀によって老化防止や手指のリハビリを図ることができないということがあった。
【０００４】
この発明は、手指の不自由な人であっても、牌を比較的容易に一列かつ２段に積むことができるようにした麻雀卓を提供することにある。
【課題を解決するための手段】
【０００５】
この発明は、所定の位置に麻雀牌が一列かつ上下２段に並設される麻雀卓であって、
上記麻雀牌が配置される盤面を有しこの盤面の上記麻雀牌が配置される位置に麻雀牌の配置形状に対応する開口部が形成された卓本体と、
上記開口部と対応する位置に上下動可能に設けられ上面に上記麻雀牌が配置される可動載置板と、
上記可動載置板を上下方向に駆動する駆動機構とを備え、
上記駆動機構は、上記可動載置板を、この可動載置板の上面に上記開口部の内周面をガイドにして下段の麻雀牌を積む第１の高さ位置と、下段の麻雀牌の上に上段の麻雀牌を上記開口部の内周面をガイドにして積む第２の高さ位置と、上記可動載置板の上面を上記卓本体の盤面と同じ高さにする第３の高さ位置とに位置決めする構成であることを特徴とする麻雀卓にある。
【０００６】
上記駆動機構は、上記可動載置板を上下動可能に保持するガイド手段と、上記可動載置板の下面にカム面を当接させて回転可能に設けられたカム体と、上記可動載置板の下面を上記カム体のカム面に当接する方向に付勢する付勢部材と、上記カム体を回転操作して上記可動載置板を上記第１乃至第３の位置のいずれかに位置決めする操作部材とを備えていることが好ましい。
【０００７】
上記カム体は、上記可動載置板の長手方向両端部の下面にそれぞれカム面を当接させて設けられ、上記操作部材は一対のカム体の間に回転可能に設けられていて、この操作部材と一対のカム体とにはそれぞれプーリが設けられ、これらのプーリには上記操作部材の回転を上記一対のカム体に伝達するベルトが張設されていることが好ましい。
【０００８】
上記カム体は上記可動載置板の長手方向中途部の下面にカム面を当接させて設けられ、上記操作部材は上記カム体を回転可能に支持した支軸に設けられていて、
上記カム体には位置決めピンが係合したガイド溝が設けられ、上記位置決めピンは上記第２の位置と第３の位置とで上記ガイド溝の一端と他端とにそれぞれ当接して上記カム体の回転を制限する構成であることが好ましい。
【０００９】
上記可動載置板が上記第１の高さ位置になったときに、上記カム体に形成された係合部に弾性的に係合する係合部材が設けられていることが好ましい。
【発明の効果】
【００１０】
この発明によれば、牌が積まれる可動載置板を、開口部の内周面をガイドにして下段の牌を積み易い高さと、上段の牌を積み易い高さに位置決めできるため、たとえば手に震えがあるような人であっても、比較的容易に牌を一列かつ２段に積むことができる。
【発明を実施するための最良の形態】
【００１１】
以下、この発明の実施の形態を図面を参照して説明する。
【００１２】
図１乃至図７はこの発明の第１の実施の形態であって、図１（ａ）、（ｂ）に示す麻雀卓は卓本体１を備えている。この卓本体１は平面形状が正方形をなした盤面２を有し、この盤面２の周辺部にはこの盤面２の周辺部を囲む枠体３が設けられている。上記卓本体１は支柱４によって所定の高さに支持される。卓本体１の各辺の下面には幕板５が設けられ、各幕板５の長手方向の一端部にはそれぞれ点棒入れ５ａが出し入れ自在に設けられている。
【００１３】
上記卓本体１の板面２の各側面に対応する位置には、図３に示すようにそれぞれ細長い４つの開口部６が卓本体１の各側辺と平行に開口形成されている。卓本体１の下面には、断面Ｌ字状で、上記開口部６とほぼ同じ長さ寸法の一対の取り付け板７が各開口部６の幅方向両側に一辺を固定し、他辺を所定の間隔で対向させて設けられている。
【００１４】
上記開口部６には、この開口部６よりもわずかに小さな矩形帯状に形成された可動載置板８が駆動機構１１によって上下動可能に設けられている。この駆動機構１１は図６（ａ）〜（ｃ）に示すように、上記可動載置板８を上下動可能に支持するガイド手段１２を有する。
【００１５】
上記ガイド手段１２は、上記可動載置板８の長手方向両端部の下面に垂設された一対のガイド軸１３を有する。上記一対の取り付け板７の対向する他辺間にはガイド孔１５が形成されたガイド部材１４が設けられている。そして、上記ガイド軸１３はガイド孔１５にスライド可能に支持されている。それによって、上記可動載置板８は上下動可能に支持されており、卓本体１の盤面２に形成された開口部６内に進入したり、下方へ退避できるようになっている。
【００１６】
図２及び図７（ａ）〜（ｃ）に示すように、上記可動載置板８の両端部と、一方の取り付け板７の他辺の下端部との間には付勢部材としてのばね１６が張設されている。このばね１６によって上記可動載置板８は下方向である、開口部６に入り込む方向に付勢されている。
【００１７】
一対の取り付け板７の他辺間の両端部で、上記ガイド軸１３が設けられた端部よりも長手方向の内方の位置にはそれぞれ同じ形状のカム体１７が同じ状態で回転可能に支持されている。図４（ａ），（ｂ）に示すように、このカム体１７の外周面である、カム面１８は上記可動載置板８の下面に上記ばね１６の付勢力によって弾性的に当接している。このカム面１８には、上記可動載置板８を後述する第１の高さ位置、第２の高さ位置及び第３の高さ位置に保持する第１の当接部１８ａ，第２の当接部１８ｂおよび第３の当接部１８ｃが形成されている。
【００１８】
上記第１の高さ位置は、図７（ａ）に示すように上記可動載置板８が開口部６の上面よりも低く、下面よりも高い位置であり、上記第２の高さ位置は、図７（ｂ）に示すように可動載置板８が開口部６の下面よりも下方で、可動載置板８に積まれた下段の牌Ｐ１の上面が開口部６内の高さ方向中途部に位置し、この下段の牌Ｐ１上に積まれる上段の牌Ｐ２の下端部が開口部６内となる位置である。上記第３の高さ位置は、図７（ｃ）に示すように上記可動載置板８の上面が開口部６の上面とほぼ同じ高さとなる位置である。
【００１９】
各カム体１７の一側面には図４（ａ），（ｂ）に示すように歯付きの第１のプーリ２１が一体的に設けられている。上記取り付け板７の長手方向の中間部の位置には歯付きの第２のプーリ２２が回転可能に支持されている。
【００２０】
図３に示すように、第２のプーリ２２には操作軸２３の一端が嵌着されている。この操作軸２３の他端は卓本体１の側板５の外面に突出している。操作軸２３の突出端には操作部材２４が取着されている。したがって、この操作部材２４によって上記第２のプーリ２２を回転させることができるようになっている。
【００２１】
上記第２のプーリ２２には、先端部がこのプーリ２２の外周面よりも径方向外方へ突出したストッパ２５が一体的に設けられている。一方の取り付け板７の内面には上記操作部材２４によって第２のプーリ２２を時計方向或いは反時計方向にそれぞれ約９０度回転させたときに、上記ストッパ２５が当たって上記第２のプーリ２２の回転を阻止する第１のピン２６と第２のピン２７とが設けられている。
【００２２】
上記一対の第１のプーリ２１と第２のプーリ２２とにはこれらプーリの歯に係合する凹凸面が形成されたタイミングベルト２８が張設されている。それによって、上記操作部材２４により第２のプーリ２２を回転させれば、その回転はタイミングベルト２８を介して一対の第１のプーリ２１に伝達できるようになっている。
【００２３】
つぎに、上記構成の麻雀卓を用いて老人などの手指が不自由な人（遊戯者）が卓本体１の盤面２に上下２段に牌を並べる手順について図７（ａ）〜（ｃ）を参照しながら説明する。
【００２４】
まず、最初は可動載置板８を図７（ａ）に示すように第１の高さ位置に保持する。つまり、操作部材２４をほぼ垂直に起立させ、カム体１７の第１の当接部１８ａを可動載置板８の下面に当接させることで、その可動載置板８を開口部６内に位置する高さに保持する。
【００２５】
その状態で可動載置板８の上面に下段の牌Ｐ１を積む。その際、可動載置板８の周辺は開口部６の内周面によって囲まれた状態にあるから、この可動載置板８の上面に下段の牌Ｐ１を並べるとき、開口部６の内周面をガイドにして並べることができる。そのため、遊戯者の手指が震えるなどしても、可動載置板８の上面に載置した牌Ｐ１は可動載置板８の上面から外れる位置にずれ動くことがないから、下段の牌Ｐ１を可動載置板８上に並べることができる。
【００２６】
可動載置板８上に下段の牌Ｐ１を積んだならば、図７（ｂ）に矢印で示すように操作部材２４を反時計方向に９０度回転させる。つまり、第２のプーリ２２に一体的に設けられたストッパ２５が第１のピン２６に当たるまで操作部材２４を回転させる。
【００２７】
それによって、可動載置板８の下面の両端部には一対のカム体１８の第２の当接部１８ｂが当接するから、この可動載置板８は第１の高さ位置よりも低い第２の高さ位置に保持される。つまり、第２の高さ位置は、可動載置板８の上面に積まれた下段の牌Ｐ１が開口部６の上面よりも低く、下面よりも高い位置になる。それによって、下段の牌Ｐ１の上面の周辺部は開口部６の内周面によって囲まれ状態になる。
【００２８】
このような状態で、下段の牌Ｐ１の上面に上段の牌Ｐ２を積めば、開口部６の内周面をガイドにして上段の牌Ｐ２を積むことができる。そのため、その場合も、遊戯者の手指が震えるなどしても、下段の牌Ｐ１の上面に積まれる上段の牌Ｐ２は、下段の牌Ｐ１から落下する位置へずれ動くことがないから、上段の牌Ｐ２を可動載置板８の下段の牌Ｐ１の上に確実に積むことができる。
【００２９】
このようにして可動載置板８の上面に上下２段に牌Ｐ１、Ｐ２を積んだならば、図７（ｂ）の状態にある操作部材２４を、図７（ｃ）に矢印で示すようにストッパ２５が第２のピン２７に当たる位置まで、時計方向に１８０度回転させ、第３の高さ位置にする。
【００３０】
第３の高さ位置は、可動載置板８の上面が開口部６の上面、つまり盤面２とほぼ同じ高になる。そのため、遊戯者は可動載置板８上に積まれた上下２段の牌Ｐ１、Ｐ２を順番に取って遊戯することができる。
【００３１】
このように、上下駆動される可動載置板８上に上下２段に牌Ｐ１、Ｐ２を積むようにするとともに、下段の牌Ｐ１及び上段の牌Ｐ２を積む際、上記可動載置板８の高さを変えることで、これらの牌を開口部６の内周面ガイドにして積むことができるようにした。
【００３２】
そのため、手指に震えがある人などがリハビリを兼ねて麻雀を楽しむような場合であっても、手指の震えによって牌Ｐ１、Ｐ２が可動載置板８上から大きくずれ動いて落下するのを防止できるから、利用者は手指のリハビリを兼ねながら牌Ｐ１、Ｐ２を可動載置板８上に上下２段に積むことができる。
【００３３】
可動載置板８の高さを、この可動載置板８の長手方向の両端部に当接する一対のカム体１７によって変えることができるようにした。つまり、可動載置板８は長手方向の両端部がカム体１７によって支持されて高さ位置が設定される。そのため、可動載置板８は長手方向に対して傾くなどしてがたつくことがないから、可動載置板８を第３の高さ位置にして遊戯する際、この可動載置板８上に積まれた牌Ｐ１、Ｐ２が崩れるということもない。
【００３４】
一対のカム体１７に設けられた第１のプーリ２１と、操作部材２４に設けられた第２のプーリ２２とにタイミングベルト２８を張設し、操作部材２４の操作によって一対のカム体１７を連動させるようにした。そのため、一対のカム体１７を確実に同期させて回転させることができるから、可動載置板８を長手方向に対して傾くことなく、高さを変えることができる。しかも、１つの操作部材２４によって２つのカム体１７を回転させることができるから、操作がし易いということもある。
【００３５】
図８（ａ）〜（ｃ）と図９（ａ），（ｂ）はこの発明の第２の実施の形態を示す。なお、第１の実施の形態と同一部分には同一記号を付して説明を省略する。  
この第２の実施の形態は可動載置板８を上下駆動する駆動機構１１の変形例である。この第２の実施の形態の駆動機構１１Ａは可動載置板８の長手方向中途部の下面に対応する位置に１つのカム体１７Ａが設けられている。このカム体１７Ａは、図９（ａ）に示すように支軸３１に取付けられている。
【００３６】
上記支軸３１は、一対の取付け板７の内面にそれぞれねじ３２ａによって取付け固定された一対の軸受３２に回転可能に支持されている。上記カム体１７Ａは上記支軸３１の上記一対の軸受３２の間の部分に取付け固定されている。
【００３７】
上記支軸３１の一端部は卓本体１の側板５の外面に突出し、その突出端には操作部材２４が取着される。したがって、操作部材２４によって支軸３１を回転すれば、その回転に上記カム体１７Ａが連動するようになっている。
【００３８】
上記カム体１７Ａには可動載置板８を第１の実施の形態と同様、第１の高さ位置（中段）、第２の高さ位置（下段）及び第３の高さ位置（上段）にそれぞれ保持するための第１の当接部１８ａ，第２の当接部１８ｂ及び第３の当接部１８ｃが形成されている。
【００３９】
図９（ｂ）に示すように、上記可動載置板８の長手方向中途部の下面の幅方向両端部には一対の軸受３３が設けられ、これら軸受３３には中途部にローラ３４が設けられた支軸３５の両端部が回転可能に支持されている。
【００４０】
上記ローラ３４には上記カム体１７Ａの外周面が当接している。したがって、カム体１７Ａを上記操作部材２４によって回転させれば、その回転によって上記可動載置板８が上下動するようになっている。つまり、可動載置板８は上記第１の実施の形態と同様、第１の位置、第２の位置及び第３の位置に高さを変えることができるようになっている。
【００４１】
なお、可動載置板８の上記ローラ３４に対応する箇所の下面には円弧状の凹部３５が形成されていて、上記ローラ３４の外周面が上記可動載置板８の下面に当たることがないようにしている。
【００４２】
上記カム体１７Ａの径方向中途部には周方向に沿ってガイド溝３７が形成されている。このガイド溝３７にはピン３８が挿通されている。このピン３８の一端と他端とはそれぞれ一対の取付け板７にねじ３９によって取付け固定されている。
【００４３】
上記ピン３８は、図８（ｂ）に示すように、可動載置板８が第２の位置になるよう上記カム体１７Ａの第２の当接部１８ｂをローラ３４に当接させたとき、上記ガイド溝３７の一端に当たってカム体１７Ａがそれ以上矢印Ａ方向に回転するのを阻止する。また、図８（ｃ）に示すように、可動載置板８が第３の位置になるよう上記カム体１７Ａの第２の当接部１８ｃをローラ３４に当接させたとき、上記ガイド溝３７の他端に当たってカム体１７Ａがそれ以上矢印Ｂ方向に回転するのを阻止する。
【００４４】
図８（ａ）に示すように、可動載置板８が第１の位置になるようカム体１７Ａの第１の当接部１８ａをローラ３４に当接させたとき、上記カム体１７Ａに形成された係合部としての係合孔４１に係合部材としてのボール４２が弾性的に係合するようになっている。
【００４５】
図９（ａ）に示すように、上記係合孔４１はカム体１７Ａの周辺部に厚さ方向に貫通して形成されている。上記ボール４２は一方の取付け板７の内面にねじ４３によって固定された円盤状の保持体４４に設けられている。つまり、この保持体４４の中心部には筒体４５が設けられている。この筒体４５は先端部が上記ボール４２よりも小径に絞られ、この内部に上記ボール４２が収容されている。このボール４２はばね４６によって筒体４５の先端開口から一部が突出するように付勢されている。
【００４６】
そして、図８（ａ）に示すように、カム体１７Ａを回転させ、第１の当接部１８ａによって可動載置板８を第１の位置に上昇させたとき、上記ボール４２がカム体１７Ａの係合孔４１に弾性的に係合する。したがって、ボール４２が係合孔４１に係合する感触が操作部材２４を介して操作者の手に伝わるとともに、操作部材２４の回転抵抗が増大するから、上記可動載置板８を第１の位置に確実に位置決めすることができるようになっている。
【００４７】
このような構成によれば、１つのカム体１７Ａによって可動載置板８を第１乃至第３の位置に位置決めすることができるから、２つのカム体１７を用いた第１の実施の形態に比べて構成を簡略化することができる。
【００４８】
また、可動載置板８に下段の牌Ｐ１を積むために第１の位置に位置決めする際、カム体１７の係合孔４１にボール４２が弾性的に係合するから、この可動載置板８を第１の位置に確実に位置決めすることが可能となる。
【図面の簡単な説明】
【００４９】
【図１】この発明の第１の実施の形態を示し、（ａ）は麻雀卓の平面図、（ｂ）は側面図。
【図２】麻雀卓の一部破断した拡大側面図。
【図３】操作部材の取り付け構造を拡大して示す側面図。
【図４】（ａ）はカム体の正面図、（ｂ）は側面図。
【図５】（ａ）〜（ｃ）はストッパが一体的に設けられた第２のプーリの三面図。
【図６】（ａ）は可動載置部材の平面図、（ｂ）は正面図、（ｃ）は可動載置部材が卓本体に上下動可能に支持された状態を示す断面図。
【図７】（ａ）〜（ｃ）は可動載置板の上面に牌を積むときの手順を説明するための図。
【図８】（ａ）〜（ｃ）はこの発明の第２の実施の形態を示す可動載置板を第１乃至第３の位置に位置決めした状態を順次示す説明図。
【図９】（ａ）は一対の取付け板のカム体が取付けられた部分の平面図、（ｂ）はローラの取付け状態を示す可動載置板の側面図。
【符号の説明】
【００５０】
１…卓本体、２…盤面、６…開口部、７…取り付け板、８…可動載置板、１１，１１Ａ…駆動機構、１２…ガイド手段、１３…ガイド軸、１４…ガイド部材、１６…ばね（付勢部材）、１７，１７Ａ…カム体、１８…カム面、２１…第１のプーリ、２３…操作軸、２４…操作部材、２５…ストッパ。
【図１】
2005329221.tif 000003
【図２】
2005329221.tif 000004
【図３】
2005329221.tif 000005
【図４】
2005329221.tif 000006
【図５】
2005329221.tif 000007
【図６】
2005329221.tif 000008
【図７】
2005329221.tif 000009
【図８】
2005329221.tif 000010
【図９】
2005329221.tif 000011